(57)【要約】      （修正有）【課題】伸縮性を有する外面シートに容易に弾性伸縮部材を配設することができる体液吸収性着用物品を提供する。【解決手段】第１及び第２ウエスト域１３，１４間を延びるクロッチ域１５と、クロッチ域１５から第１及び第２ウエスト域１３，１４に延びる吸液性コアとを有し、第１及び第２ウエスト域１３，１４が伸縮性を有する本体を含む体液吸収性着用物品１０において、第１及び第２ウエスト域１３,１４のうちの少なくとも第１ウエスト域１３の端縁部１８ａに第１ウエスト域１３を形成する部材とは別体の部材からなる弾性ウエストバンド２８が取り付けられており、弾性ウエストバンド２８が、非伸縮性シートと横方向へ伸縮する複数条のストランド状の弾性伸縮部材とから構成され、弾性伸縮部材が、本体１０ａを形成した後に、横方向Ｘへ伸張された状態で第１ウエスト域１３の非肌当接面側に取り付けられている。【選択図】図１
2010110536.tif 000002
【特許請求の範囲】
【請求項１】
縦方向及び横方向と、肌当接面及びこれに対向する非肌当接面と、前後ウエスト域の一方である第１ウエスト域と、前記前後ウエスト域の他方である第２ウエスト域と、前記第１及び第２ウエスト域間を延びるクロッチ域と、前記クロッチ域から前記第１及び第２ウエスト域に延びる吸液性コアとを有し、前記第１及び第２ウエスト域が伸縮性を有する本体を含む体液吸収性着用物品において、
前記第１及び第２ウエスト域のうちの少なくとも前記第１ウエスト域の端縁部に前記第１ウエスト域を形成する部材とは別体の部材からなる弾性ウエストバンドが取り付けられており、
前記弾性ウエストバンドが、非伸縮性シートと前記横方向へ伸縮する複数条のストランド状の弾性伸縮部材とから構成され、
前記弾性伸縮部材が前記非伸縮性シートの一部を折曲して形成された前記横方向へ延びるスリーブの内面に取り付けられており、
前記弾性ウエストバンドが、前記本体を形成した後に、前記横方向へ伸張された状態で前記第１ウエスト域の前記非肌当接面側に取り付けられていることを特徴とする前記着用物品。
【請求項２】
前記第１ウエスト域が前記肌当接面側に位置する非伸縮性の内面シートと、前記非肌当接面側に位置する伸縮性の外面シートとを含み、
前記第１ウエスト域の端縁部近傍から前記内面シートが前記外面シートよりも前記縦方向の外方へ延出しており、
前記非伸縮性シートが、前記肌当接面側に位置する内側域と、前記着用物品の前後方向において前記内側域と対向する外側域とを有し、前記内側域が前記内面シートの延出部位の前記非肌当接面側に固定されている請求項１記載の着用物品。
【請求項３】
前記外側域の端縁部が、前記内側域の端縁部よりも下方へ延びている請求項２記載の着用物品。
【請求項４】
前記内面シートが、前記弾性ウエストバンドよりも前記縦方向の外方へ延出している請求項２又は３に記載の着用物品。
【請求項５】
前記外側域の端縁部が、前記第１ウエスト域の前記縦方向の中央部近傍にまで延びている請求項２〜４のいずれかに記載の着用物品。
【請求項６】
前記第１ウエスト域の端縁部と前記弾性ウエストバンドとが、前記非伸縮性シートの前記スリーブから形成された第１区域と、前記スリーブと前記内面シートの延出部位とから形成された第２区域と、前記非伸縮性シートの外側域と前記内外面シートとから形成された第３区域と、前記内外面シートと前記吸液性コアとから形成された第４区域とに区分されており、
前記第１〜４区域を形成する各シート部材のうちの少なくとも１枚のシート部材が白色以外の色に着色されていることによって、各区域間において色の濃淡が生じている請求項１〜５のいずれかに記載の着用物品。
【請求項７】
前記非伸縮性シートと前記内外面シートとのうちの、前記非伸縮性シートのみが着色されていることによって、前記第１〜３区域の色の濃さの相関関係が第１区域＞第２区域＞第３区域である請求項６記載の着用物品。
【請求項８】
前記非伸縮性シートと前記内外面シートとのうちの、前記非伸縮性シートと前記内面シートとが着色されていることによって、前記第１〜第４区域の色の濃さの相関関係が第２区域＞第１区域＞第３区域＞第４区域である請求項６記載の着用物品。
【請求項９】
前記非伸縮性シートと前記内外面シートとのうちの、前記外面シートと前記非伸縮性シートとが着色されていることによって、前記第１〜４区域の色の濃さの相関関係が第１区域＞第２区域＞第３区域≧第４区域である請求項６記載の着用物品。
【請求項１０】
前記非伸縮性シートと前記内外面シートとのうちの、前記内外面シートが着色されていることによって、前記第２〜４区域の色の濃さの相関関係が第４区域＞第３区域＞第２区域である請求項６記載の着用物品。
【請求項１１】
前記非伸縮性シートと前記内外面シートとのうちの、前記内面シートのみが着色されていることによって、前記第２〜４区域の色の濃さの相関関係が第４区域＞第３区域≧第２区域である請求項６記載の着用物品。
【請求項１２】
前記非伸縮性シートと前記内外面シートとのうちの、前記外面シートのみが着色されていることによって、前記第４区域の色が前記第３区域のそれよりも濃くなっている請求項６記載の着用物品。
【請求項１３】
前記非伸縮性シートと前記内外面シートとが、互いに濃淡のある同一の色で着色されている請求項６記載の着用物品。
【発明の詳細な説明】
【技術分野】
【０００１】
本発明は、使い捨ておむつやおむつカバー、特に、前後ウエスト域が弾性伸縮性を有する体液吸収性着用物品に関する。
【背景技術】
【０００２】
従来、弾性伸縮性を有する前後ウエスト域を含む体液吸収性着用物品は公知である。例えば、特許文献１には、前後ウエスト域とクロッチ域とを備え、伸縮性を有するシャーシと、吸液性コアを有する吸収性パッドとを含み、前後ウエスト域の前後端部には、弾性伸縮部材が配設された体液吸収性着用物品が開示されている。
【特許文献１】特開平１１−２７６５２３号公報
【発明の開示】
【発明が解決しようとする課題】
【０００３】
特許文献１に開示された着用物品では、シャーシを形成する内外面シートのうちの外面シートのみが伸縮性を有し、前後ウエスト域が外面シートのみで形成されているので、通常の着用物品に比して薄く形成することができ、前後ウエスト域のフィット性が向上するとともに、下着のような外観、着用感を実現することができる。
【０００４】
しかし、前後ウエスト域が外面シートのみで形成されているので、ストランド状の弾性伸縮部材を固定するために、外面シートの前後端部が内側へ折り曲げられており、その折曲によって形成された部位（スリーブ）の内部に弾性伸縮部材が固定されている。
【０００５】
このように、伸縮性シートの一部を折り曲げる場合には、その製造過程において、伸縮性シートを機械方向（ＭＤ）へ伸張させた状態のまま移送する際に、伸縮性シートは幅方向へ収縮するので、その幅寸法が定まらず、安定的かつ連続的に所要の幅寸法に折り曲げることは困難である。
【０００６】
また、伸縮性シートの一部を所要の幅寸法に安定的かつ連続的に折り曲げるためには、専用の設備や工程が必要となり、おむつの高速生産化の妨げとなる。
【０００７】
さらに、下着のような外観を向上させるために、外面シートに絵柄を印刷する手法もこの種の物品の分野においては既に公知であるが、着用物品の着用中に外面シートが衣服と擦れて印刷部位の一部が剥がれてしまうなどの問題がある。
【０００８】
そこで、本発明では、伸縮性を有する外面シートに容易に弾性伸縮部材を配設することができるとともに、より下着のような外観を備えるパンツ型着用物品の提供を課題とする。
【課題を解決するための手段】
【０００９】
前記課題を解決するために、本発明が対象とするのは、縦方向及び横方向と、肌当接面及びこれに対向する非肌当接面と、前後ウエスト域の一方である第１ウエスト域と、前記前後ウエスト域の他方である第２ウエスト域と、前記第１及び第２ウエスト域間を延びるクロッチ域と、前記クロッチ域から前記第１及び第２ウエスト域に延びる吸液性コアとを含み、前記第１及び第２ウエスト域が伸縮性を有する体液吸収性着用物品である。
【００１０】
本発明の特徴とするところは、前記第１及び第２ウエスト域のうちの少なくとも前記第１ウエスト域の端縁部に前記第１ウエスト域を形成する部材とは別体の部材からなる弾性ウエストバンドが取り付けられており、前記弾性ウエストバンドが、非伸縮性シートと前記横方向へ伸縮する複数条のストランド状の弾性伸縮部材とから構成され、前記弾性伸縮部材が前記非伸縮性シートの一部を折曲して形成された前記横方向へ延びるスリーブの内面に取り付けられており、前記弾性ウエストバンドが、前記本体を形成した後に、前記横方向へ伸張された状態で前記第１ウエスト域の前記非肌当接面側に取り付けられていることである。
【００１１】
本発明は、前記特徴とする構成のほかに、以下の好ましい実施の形態を含む。
（１）前記第１ウエスト域が前記肌当接面側に位置する非伸縮性の内面シートと、前記非肌当接面側に位置する伸縮性の外面シートとを含み、前記第１ウエスト域の端縁部近傍から前記内面シートが前記外面シートよりも前記縦方向の外方へ延出しており、前記非伸縮性シートが、前記肌当接面側に位置する内側域と、前記着用物品の前後方向において前記内側域と対向する外側域とを有し、前記内側域が前記内面シートの延出部位の前記非肌当接面側に固定されている。
（２）前記外側域の端縁部が、前記内側域の端縁部よりも下方へ延びている。
（３）前記内面シートが、前記弾性ウエストバンドよりも前記縦方向の外方へ延出している。
（４）前記外側域の端縁部が、前記第１ウエスト域の前記縦方向の中央部近傍にまで延びている。
（５）前記第１ウエスト域の端縁部と前記弾性ウエストバンドとが、前記非伸縮性シートの前記スリーブから形成された第１区域と、前記スリーブと前記内面シートの延出部位とから形成された第２区域と、前記非伸縮性シートの外側域と前記内外面シートとから形成された第３区域と、前記内外面シートと前記吸液性コアとから形成された第４区域とに区分されており、前記第１〜４区域を形成する各シート部材のうちの少なくとも１枚のシート部材が白色以外の色に着色されていることによって、各区域間において色の濃淡が生じている。
（６）前記非伸縮性シートと前記内外面シートとのうちの、前記非伸縮性シートのみが着色されていることによって、前記第１〜３区域の色の濃さの相関関係が第１区域＞第２区域＞第３区域である。
（７）前記非伸縮性シートと前記内外面シートとのうちの、前記非伸縮性シートと前記内面シートとが着色されていることによって、前記第１〜第４区域の色の濃さの相関関係が第２区域＞第１区域＞第３区域＞第４区域である。
（８）前記非伸縮性シートと前記内外面シートとのうちの、前記外面シートと前記非伸縮性シートとが着色されていることによって、前記第１〜４区域の色の濃さの相関関係が第１区域＞第２区域＞第３区域≧第４区域である。
（９）前記非伸縮性シートと前記内外面シートとのうちの、前記内外面シートが着色されていることによって、前記第２〜４区域の色の濃さの相関関係が第４区域＞第３区域＞第２区域である。
（１０）前記非伸縮性シートと前記内外面シートとのうちの、前記内面シートのみが着色されていることによって、前記第２〜４区域の色の濃さの相関関係が第４区域＞第３区域≧第２区域である。
（１１）前記非伸縮性シートと前記内外面シートとのうちの、前記外面シートのみが着色されていることによって、前記第４区域の色が前記第３区域のそれよりも濃くなっている。
（１２）前記非伸縮性シートと前記内外面シートとが、互いに濃淡のある同一の色で着色されている。
【発明の効果】
【００１２】
本発明では、伸縮性を有する第１及び第２ウエスト域（前後ウエスト域）のうちの少なくとも第１ウエスト域の端縁部に、非伸縮性シートと弾性伸縮部材とから構成されたおむつ本体とは別体の弾性ウエストバンドが取り付けられているので、おむつ本体を構成するシートの一部を折り曲げて弾性伸縮性部材を取り付ける場合に比して、折曲工程が容易であり、かつ、折曲部位が伸長されてその強度が低下するおそれもない。
【発明を実施するための最良の形態】
【００１３】
＜第１実施形態＞
図１〜４に示された形態は本発明の第１実施形態であり、一例として大人用の使い捨ておむつ１０を用いて説明する。図１は、おむつ１０をその前側から見た斜視図、図２は、おむつ１０の前後ウエスト域１３，１３におけるサイドシーム部の接合を取り外して、おむつ１０を横方向Ｘと縦方向Ｙとに伸展したときの部分破断展開平面図である。
【００１４】
図１及び２に示すとおり、おむつ１０は、縦方向Ｙ及び横方向Ｘと、非肌当接面及び肌当接面と、弾性ウエストパネル１１と、吸収性シャーシ１２とを有するおむつ本体１０ａを含む。
【００１５】
本体１０ａは、前ウエスト域１３（例えば、第１ウエスト域）と、後ウエスト域１４（例えば、第２ウエスト域）と、前後ウエスト域１３，１４間に位置するクロッチ域１５と、ウエスト開口１６及び一対のレッグ開口１７ａ，１７ｂとを含む。ウエスト開口１６は、環状の弾性ウエストパネル１１で画成され、一対のレッグ開口１７ａ，１７ｂは、弾性ウエストパネル１１と吸収性シャーシ１２の協働で画成されている。
【００１６】
弾性ウエストパネル１１は、前ウエスト域１３を形成する前ウエストパネル１８と、後ウエスト域１４とクロッチ域１５の一部とを形成する後ウエストパネル１９とから形成されている。前ウエストパネル１８は、前端縁１８ａと、下端縁１８ｃと、両側縁１８ｂ，１８ｂとによって画成される横長方形であって、後ウエストパネル１９は、後端縁１９ａと、下端縁１９ｃと、両外側縁１９ｂ，１９ｂと、斜めに内方へ延びる両内側縁１９ｄ，１９ｄとによって画成される略台形状を有している。
【００１７】
吸収性シャーシ１２は、前後端縁１２ａ，１２ｃ及び両側縁１２ｂ，１２ｂによって画成される縦長方形であって、前後ウエスト域１３,１４の一部を形成する前後端域２０，２１と、前後端域間２０，２１に位置する中間域２２とを有する。
【００１８】
おむつ１０の着用状態において、前ウエストパネルの両側縁１８ｂ，１８ｂと後ウエストパネルの両外側縁１９ｂ，１９ｂとは互いに重ね合わせられて、縦方向へ間欠的に並ぶサイドシーム部（図示せず）において、公知の手段、例えば、熱エンボス加工、ソニックなどの各種の熱溶着手段で接合されることによって連結されている。
【００１９】
前ウエストパネル１８は、肌当接面側に位置する非伸縮性の内面シート２４と、非肌当接面側に位置し、伸縮性を有する外面シート２５とを有する。内面シート２４の両側縁部と外面シート２５の両側縁部とが互いに重ね合わせられてホットメルト接着剤（図示せず）を介して固着されることによって、前ウエストパネル１８の両側縁１８ｂ，１８ｂが形成されており、内面シート２４の前端部２４ａ（延出部）は、外面シート２５の前端部２５ａよりも縦方向Ｙの外方へ延出している。
【００２０】
後ウエストパネル１９は、前ウエストパネル１８と同様に、肌当接面側に位置する内面シート２６と、非肌当接面側に位置し、伸縮性を有する外面シート２７とを有する。内面シート２６の両側縁部と外面シート２７の両側縁部とが互い重ね合わせられ、ホットメルト接着剤（図示せず）を介して固着されていることによって、後ウエストパネル１９の両外側縁１９ｂ，１９ｂが形成されており、内面シート２６の後端縁２６ａは、外面シート２７の後端縁２７ａよりも縦方向Ｙ外方へ延出している。
【００２１】
前ウエストパネル１８の前端縁１８ａには、外面シート２５の前端部２５ａに連なるように縦方向Ｙの外方へ延び、内面シート２４の前端部２４ａと対向し、かつ、前端部２４ａよりも縦方向Ｙの外方へ延出する弾性ウエストバンド２８がホットメルト接着剤を介して取り付けられている。
【００２２】
後ウエストパネル１９の後端縁１９ａには、外面シート２７の後端縁２７ａに連なるように縦方向Ｙの外方へ延び、内面シート２６の後端縁２６ａと対向し、かつ、後端縁２６ａよりも縦方向Ｙの外方へ延出する弾性ウエストバンド２９がホットメルト接着剤を介して取り付けられている。
【００２３】
弾性ウエストバンド２８は、後述するように、内面シート２４の前端部２４ａの外面に取り付けられた非伸縮性シート３０と、非伸縮性シート３０の一部が折曲されて形成されたスリーブ３０ａの内面にホットメルト接着剤（図示せず）を介して固着された、横方向Ｘへ延びる複数条のストランド状の弾性伸縮部材３２とから構成されている。
【００２４】
また、弾性ウエストバンド２９は、弾性ウエストバンド２８と同様に、内面シート２６の後端縁２６ａの外面に取り付けられた３１と、非伸縮性シート３１の一部が折曲されて形成されたスリーブ３１ａの内面にホットメルト接着剤（図示せず）を介して固着された、横方向Ｘへ延びる複数条のストランド状の弾性伸縮部材３３とから構成されている。
【００２５】
吸収性シャーシ１２は、肌当接面側に位置する透液性のライナー３４、非肌当接面側に位置する不透液性のバックシート３５と、ライナー３４とバックシート３５との間においてホットメルト接着剤（図示せず）を介して固定された吸液性コア３６とを含む。
【００２６】
吸液性コア３６は、木材フラッフパルプ、水不溶で自重の数十倍の吸収能力を有する超吸収性ポリマー粒子又は繊維状のもの、オプションとして、熱可塑性ステープルファイバの混合などの公知の材料を好適に使用することができる。吸液性コア３５は、縦方向Ｙの中央部が内方へ凹曲して幅狭である輪郭形状を有し、保形性及び吸液拡散の改善のために、その厚さ方向へ適宜圧縮されており、おむつ１０を構成する他のシート部材に比して高い剛性を有している。
【００２７】
吸収性シャーシ１２の前後端域２０，２１は、それぞれ前ウエストパネル１８の肌当接面と、後ウエストパネル１９の肌当接面とにホットメルト接着剤（図示せず）を介して取り付けられており、吸収性シャーシ１２は、おむつ１０の着用状態において、弾性ウエストパネル１１に吊持された状態となっている（図１参照）。
【００２８】
図３は、図１のＩＩＩ−ＩＩＩ線断面図である。
【００２９】
既述のとおり、前ウエスト域１３の前端縁１８ａには、ウエスト弾性バンド２８が取り付けられており、着用時において、その収縮によって前ウエスト域１３を着用者の胴回りにフィットさせることができ、おむつ１０が大きな位置ずれを生じるおそれはない。
【００３０】
非伸縮性シート３０は、外面シート２５の縦方向Ｙの外方において二つ折りにされた状態であって、外面シート２５の前端部２５ａと連なり、内面シート２４の前端部２４ａの肌当接面側にホットメルト接着剤（図示せず）を介して取り付けられた内側域３７と、内側域３７とおむつ１０の前後方向において対向する外側域３８とを有する。内側域３７と外側域３８との間、すなわち、スリーブ３０ａの内面には、横方向Ｘへ延びる複数条のストランド状の弾性伸縮部材３２がホットメルト接着剤（図示せず）を介して固定されている。なお、本実施形態では、弾性伸縮部材３２は、複数条のストランド状の弾性要素から形成されているが、所要の伸長倍率及び伸長応力を有するものであれば、シート状の弾性要素から形成してもよい。
【００３１】
外側域３８は、内側域３７よりも下方へ延びており、その端縁部３８ａは、ホットメルト接着剤を介して外面シート２５の外面に固着されていてもよいし、非固着（フリーの状態）にされていてもよい。
【００３２】
このように、本体１０ａの前ウエスト域１３の前端縁部１８ａに弾性ウエストバンド２８を取り付けているので、外面シート２５を折り返して弾性伸縮部材３２を外面シート２５に直接に配設する場合よりも、おむつ１０を簡易に製造することができる。
【００３３】
すなわち、外面シート２５を形成する伸縮性シートをおむつ１０の製造過程において移動するためには、一定の張力を掛けて機械方向（ＭＤ）へ引っ張る必要がある。その際、伸縮性シートの幅寸法が縮んで、形成されたシート部材の幅寸法が不規則になり、弾性伸縮部材３２を配設するためのスリーブ３０ａを安定的に形成ことができない。このような製造上の不具合を防止するためには、移動中に伸縮性シートの幅寸法が縮み込まないようにするための機械や設備、新たな工程が必要となるので、製造コストが掛かり、おむつ１０の高速生産の妨げともなる。
【００３４】
また、伸長状態にある外面シート２５を折り返すことにより、外面シート２５の折曲した部位の繊維が過度に伸長されて該部位の強度が弱くなり、製造中又は着用中にその一部が破れるおそれがある。
【００３５】
しかし、本発明では、非伸縮性の内面シート２４の縦寸法を伸縮性の外面シート２５のそれよりも長くし、内面シート２４をギャザーの生じていない状態（機械方向へ引っ張られている状態）にして外面シート２５と貼り合わせているので、外面シート２５の幅方向への収縮を防止することができる。
【００３６】
また、前ウエスト域１３の前端縁１８ａに本体１０ａとは別体の弾性ウエストバンド２８を取り付けているので、外面シート２５を折曲して直接に弾性伸縮部材３２を配置する場合に比して、おむつ１０の製造工程が簡易になるとともに、スリーブ３０ａの一部が破れるおそれはない。
【００３７】
さらに、弾性ウエストバンド２８は、スリーブ３０ａの内面に弾性伸縮部材３２が固着された状態で内面シート２４の前端部２４ａの外面に取り付けることができるので、取り付け工程が容易であって、製造コストを抑えることができるとともに、おむつ１０の製造の高速化を妨げるおそれもない。
【００３８】
弾性ウエストバンド２８の外側域３８は、おむつ１０の外面側（非肌当接面側）に折り曲げられているので、たとえ外面シート２５の幅寸法が不均一の状態であっても、外側域３８が第１ウエスト域の前端縁１８ａ近傍を上側から被覆して、おむつ１０の外観を損ねるおそれはない。
【００３９】
本体１０ａの外面は、伸縮性の外面シート２５から形成されているので、着用者の身体へのフィット性に優れているとともに、通常この種のおむつにおいて使用されるストランド状の胴周り用弾性部材により形成される複数のギャザーに比して、ごわごわ感のない布地のような外観を有している。
【００４０】
図４（ａ）（ｂ）は、おむつ１０の第２及び第３の実施の形態を示す図３と同様の図である。おむつ１０の基本的な構成は、第１実施形態と同様であり、相違する構成についてのみ以下に説明する。
【００４１】
＜第２実施形態＞
図４（ａ）に示すとおり、本実施形態では、内面シート２４が弾性ウエストバンド２８よりも縦方向Ｙの外方へ延出しており、弾性ウエストパネル２８の内側域３７の全体が内面シート２４に固定されている。この場合には、内側域３７が内面シート２４により安定的に固定されるので、おむつ１０の着用中に不用意に内側域３７が内面シート２４から剥離してしまうおそれはない。また、弾性ウエストバンド２８のスリーブ３０ａが内面シート２４を介して着用者の身体に当接するので、スリーブ３０ａのみが直接着用者の身体に当接する場合に比して、該部位のクッション性を向上することができる。
【００４２】
＜第３実施形態＞
図４（ｂ）に示すとおり、本実施形態では、弾性ウエストバンド２８の外側域３８が前ウエスト域１３の縦方向Ｙの中央部近傍まで延びており、端縁部３８ａは外面シート２５の外面に固定されていない。この場合には、外側域３８がおむつ１０の外面において大きなフリルを形成するので、おむつ１０は、より下着のような外観を有することができる。また、より大きなフリルを形成するために、端縁部３８ａがクロッチ域１５の近傍まで延びていてもよい。
【００４３】
図５は、おむつ１０の第４実施形態を示す前ウエストパネル１８の拡大図、図６は、図５のＶＩ−ＶＩ線断面図である。おむつ１０の基本的な構成は第１実施形態と同様であって、相違する構成についてのみ以下に説明する。
【００４４】
＜第４実施形態＞
本実施形態では、非伸縮性シート３０を除く第１ウエスト域１８を構成する各部材、すなわち、内面シート２４、外面シート２５、吸収性シャーシ１２とが着色されておらず、各部材非伸縮性シート３０にのみ青色等が着色されている。ここで、「着色」とは、通常この物品で使用される繊維不織布製シート部材が有する白色以外の色を付すことをいう。
【００４５】
おむつ１０の前ウエスト域１８には、非伸縮性シート３０が着色されていることによって、色の濃淡が生じており、色の濃さによって４つの区域に区分されている。具体的には、非伸縮性シート３０のスリーブ３０ａから形成された第１区域４０と、内面シート２４の前端縁２４ａとスリーブ３０ａとから形成された第２区域４１と、内面シート２４と外面シート２５と、非伸縮性シートの外側域３８と、吸収性シャーシ１２の一部とから形成された第３区域４２と、内面シート２４と外面シート２５と、吸収性シャーシ１２とから形成された第４区域４３とに区分されている。
【００４６】
第１区域４０では、着色された非伸縮性シート３０を折り返してなるスリーブ３０ａに弾性伸縮部材３２ａが配置されているので、非伸縮性シート３０が収縮することにより、非伸縮性シート３０には比較的に小さい皺が形成されており、非伸縮性シート３０自体が有する色以上の濃さの色を有している。一方、第２区域４１では、弾性伸縮部材３２が配置されたスリーブ３０ａの肌当接面側には、着色されていない内面シート２４が位置しているので、第１区域４０よりも薄い色を有している。
【００４７】
第３区域４２は、内面シート２４と外面シート２５と、非伸縮性シート３０の外側域３８とが重ねられて形成されており、弾性伸縮部材３２が配設されていないので、非伸縮性シート３０には弾性伸縮部材３２の収縮力が作用しておらず、それによる皺が生じることはなく、第２区域４１の色よりも薄い色を有している。また、第４区域４３は、内面シート２４と外面シート２５と、吸収性シャーシ１２とが重ねられて形成されており、着色された非伸縮性シート３０は配置されていないので、白色を有している。
【００４８】
したがって、前ウエスト域１３では、おむつ１０の外面側から見た場合の前記第１〜３区域４０，４１，４２の色の濃さの相関関係が、第１区域４０＞第２区域４１＞第３区域４２となっている。
【００４９】
すなわち、第１区域４０から第４区域４３に向かうに従って次第に色が薄くなるグラデーションが形成されており、おむつ１０は、装飾性に優れた下着のような外観を有している。このグラデーションは、弾性伸縮部材３２の収縮、着色された非伸縮性シート３０と他のシート部材との組合せによって実現されるものであって、濃淡のある塗料等をおむつ１０の外面に直接塗布したり、着色された複数のシート部材を組み合わせて形成されるものではないので、製造工程が比較的に簡易であり、おむつ１０の着用中におむつ１０の外面と衣服とが擦れて塗料が剥がれてしまうという問題もない。
【００５０】
非伸縮性シート３０に着色する色としては、白色以外の青色、赤色、黄色、緑色などの各種の色を用いることができ、一色のみならず多数の色を組み合わせて着色したり、絵柄模様を付していてもよい。
【００５１】
このような効果を奏するためには、弾性ウエストバンド２８の伸長倍率は、１．５〜３．５倍であることが好ましく、２．４〜２．６倍であることがさらに好ましい。弾性ウエストバンド２８の伸長倍率が１．５倍以下の場合には、弾性伸縮部材３２の収縮によって非伸縮性シート３０に形成される多数の皺が、比較的に大きなものとなり、第１区域４０と第２区域４１とにおける色の濃淡が不明瞭となって、統一性のあるグラデーションが形成できなくなるおそれがあるとともに、伸長応力が低下しておむつ１０が所望の位置からずり下がるおそれがあるからである。一方、弾性ウエストバンド２８の伸長倍率が３．５倍以上の場合には、弾性伸縮部材３２の伸長応力が大きくなりすぎて、弾性伸縮部材３２が配置されている部位、特にスリーブ３０ａの色が濃くなり、統一性のあるグラデーションを形成することができなくなるおそれがあるとともに、着用者のウエスト周りを圧迫して、圧迫痕が付くおそれがあるからである。
【００５２】
本実施形態では、非伸縮性シート３０のみを着色することによって第１〜３区域４０，４１，４２において前記のような色の濃さの相関関係を生じさせているが、非伸縮性シート３０と内面シート２５とを着色することによって、第１〜４区域４０，４１，４２，４３における色の濃さの相関関係を第２区域４１＞第１区域４０＞第３区域４２＞第４区域４３としてもよい。また、非伸縮性シート３０と外面シート２５とを着色することによって、第１〜４区域４０，４１，４２，４３における色の濃さの相関関係を第１区域４０＞第２区域４１＞第３区域４２≧第４区域４３としてもよい。
【００５３】
さらに、非伸縮性シート３０と内外面シート２４，２５とのうちの、内外面シート２４，２５を着色することによって、第２〜４区域４１，４２，４３の色の濃さの相関関係を第４区域４３＞第３区域４２＞第２区域４１としてもよいし、各シート２４，２５，３０において内面シート２４のみを着色することによって、第２〜４区域４１，４２，４３の色の濃さの相関関係を第４区域４３＞第３区域４２≧第２区域４１としたり、各シート２４，２５，３０において外面シート２５のみを着色して、第４区域４３の色を第３区域４２のそれよりも濃くしてもよい。
【００５４】
さらにまた、各シート２４，２５，３０を同一の色で着色し、着色する色の濃淡を調整することによって、第１〜４区域４０，４１，４２，４３の色の濃さの相関関係を自由に設定することもできる。このように、白色以外の色に着色された各シート２４，２５，３０を組み合わせることによって、前ウエスト域１３の外面に色の濃淡の違いによる様々な模様を付すことができ、おむつ１０の装飾性を向上させることができる。
【００５５】
なお、図３〜５では、前ウエスト域１３についてのみ図示しているが、後ウエスト域１４も同様の構成を有している。また、前後ウエスト域１３，１４のうちのいずれか一方のみが、これらの実施形態の構成を有するものであってもよい。
【００５６】
本発明の各実施形態では、おむつ１０は、弾性ウエストパネル１１と、弾性ウエストパネル１１とは別体の吸収性シャーシ１２とから形成されているが、連続したシート部材から形成された内面シート２４と外面シート２５との間の直接吸液性コアが介在されてなるパンツ型若しくは開放型の使い捨ておむつであってもよい。また、特に記載がされていない限りにおいては、おむつ１０を構成する各種の部材には、この種の物品で通常用いられている公知の材料を制限なく用いることができる。
【図面の簡単な説明】
【００５７】
【図１】本発明の第１実施形態を示すおむつの正面図。
【図２】おむつの展開平面図。
【図３】図１のＩＩＩ−ＩＩＩ線断面図。
【図４】（ａ）第２実施形態を示す図３と同様の断面図。（ｂ）第３実施形態を示す図３と同様の断面図。
【図５】第４実施形態を示す前ウエスト域の正面図。
【図６】図５のＶＩ−ＶＩ線断面図。
【符号の説明】
【００５８】
１０    使い捨ておむつ
１０ａ  おむつ本体
１１    弾性ウエストパネル
１２    吸収性シャーシ
１３    第１ウエスト域（前ウエスト域）
１４    第２ウエスト域（後ウエスト域）
１５    クロッチ域
１８ａ      第１ウエスト域の端縁部
２４，２６  内面シート
２４ａ      内面シートの延出部（前端部）
２５，２７  外面シート
２８，２９  弾性ウエストバンド
３０，３１  非伸縮性シート
３０ａ，３１ａ      スリーブ
３２，３３  弾性伸縮部材
３６        吸液性コア
３７        非伸縮性シートの内側域
３８        非伸縮性シートの外側域
３８ａ      外側域の端縁部
４０        第１区域
４１        第２区域
４２        第３区域
４３        第４区域
Ｘ          横方向
Ｙ          縦方向
【図１】
2010110536.tif 000003
【図２】
2010110536.tif 000004
【図３】
2010110536.tif 000005
【図４】
2010110536.tif 000006
【図５】
2010110536.tif 000007
【図６】
2010110536.tif 000008